(57)【要約】電極間で放電発光が行われる発光部、及びこの発光部の両側に設けられる封止部を有する発光管と、この発光管が挿入される挿入孔が形成される首状部、及び、この首状部と一体形成され、発光部から放射された光束を一定方向に揃えて前方に射出する楕円曲面状の反射面を有する反射部を備えたリフレクタとを有する光源装置は、発光管には前方側略半分を覆う副反射鏡が設けられ、挿入孔は、光束射出方向基端から先端に向かうに従って、次第に径が大きくなり、挿入孔の反射面側の開口径は、副反射鏡の外径よりも大きく、かつ、リフレクタの前方側焦点位置と副反射鏡の外周面とにより定められる前記リフレクタの有効反射領域の径の内側とされている。
2004085915.tif 000002
【特許請求の範囲】
【請求項１】
電極間で放電発光が行われる発光部、及びこの発光部の両側に設けられる封止部を有する発光管と、
この発光管が挿入される挿入孔が形成される首状部、及び、この首状部と一体形成され、前記発光部から放射された光束を一定方向に揃えて前方に射出する楕円曲面状の反射面を有する反射部を備えたリフレクタとを有する光源装置であって、
前記発光管には前方側略半分を覆う副反射鏡が設けられ、
前記挿入孔は、光束射出方向基端から先端に向かうに従って、次第に径が大きくなり、
前記挿入孔の反射面側の開口径は、前記副反射鏡の外径よりも大きく、かつ、前記リフレクタの前方側焦点位置と副反射鏡の外周面とにより定められる前記リフレクタの有効反射領域の径の内側であることを特徴とする光源装置。
【請求項２】
光源装置と、
この光源装置から射出された光束を画像情報に応じて変調して光学像を形成する光変調装置と、
この光変調装置で形成された光学像を拡大投写する投写光学装置とを備えたプロジェクタであって、
前記光源装置は、電極間で放電発光が行われる発光部、及びこの発光部の両側に設けられる封止部を有する発光管と、
この発光管が挿入される挿入孔が形成される首状部、及び、この首状部と一体形成され、前記発光部から放射された光束を一定方向に揃えて前方に射出する楕円曲面状の反射面を有する反射部を備えたリフレクタとを有し、
前記発光管には前方側略半分を覆う副反射鏡が設けられ、
前記挿入孔は、光束射出方向基端から先端に向かうに従って、次第に径が大きくなり、
前記挿入孔の反射面側の開口径は、前記副反射鏡の外径よりも大きく、かつ、前記リフレクタの前方側焦点位置と副反射鏡の外周面とにより定められる前記リフレクタの有効反射領域の径の内側であることを特徴とするプロジェクタ。
【発明の詳細な説明】
【技術分野】  本発明は、電極間で放電発光が行われる発光部、及びこの発光部の両側に設けられる封止部を有する発光管と、この発光管が挿入される挿入孔が形成される首状部、及び、この首状部と一体形成され、前記発光部から放射された光束を一定方向に揃えて射出する楕円曲面状の反射面を有する反射部を備えたリフレクタとを有する光源装置、及びプロジェクタに関する。
【背景技術】  従来、光源から射出された光束を、画像情報に応じて変調し光学像を拡大投写するプロジェクタが利用されており、このようなプロジェクタは、パーソナルコンピュータとともに、会議等でのプレゼンテーションに利用される。また、近年、家庭において大画面で映画等を見たいというニーズに応えて、ホームシアター用途にこのようなプロジェクタが利用される。
プロジェクタに用いられる光源装置としては、メタルハライドランプや高圧水銀ランプ等の放電型の発光管及びリフレクタを一体化してランプハウジング等に収納したものが知られている。
発光管は、例えば、高圧水銀ランプであれば、所定距離離間配置される一対のタングステン製の電極と、水銀、希ガス、及び少量のハロゲンが封入された発光部と、この発光部の両側に設けられ、電極と電気的に接続されるモリブデン製の金属箔が挿入され、ガラス材料等で封止された封止部とを備えて構成される。
リフレクタは、発光管が挿入される挿入孔が形成された首状部と、この首状部と一体形成され、発光部から放射された光束を一定方向に揃えて射出する楕円曲面状の反射面を有する反射部とを備えて構成される。
このような発光管及びリフレクタを一体化する場合、リフレクタの挿入孔に発光管の封止部を挿入し、発光部がリフレクタ内部の所定位置となるように位置調整した後、挿入孔及び封止部内に挿入孔の基端側からシリカ・アルミナ系の無機系接着剤を充填して固化させることにより、リフレクタ内に発光管を固定することができる。
ここで、挿入孔及び封止部の隙間が小さすぎると無機系接着剤の充填が困難になる一方、隙間が大きすぎると無機系接着剤が隙間から流れ出てリフレクタの反射面にあふれ出てしまうという問題がある。
このため、従来、リフレクタの挿入孔の反射面に隣接する部分に狭部を形成し、無機系接着剤が反射面にあふれ出ないような構造が提案されている（特開２００２−６２５８６号公報、特開平６−２０３８０６号公報）
しかしながら、前記先行技術記載の発明では、リフレクタの反射面側の挿入孔の開口径が小さいと、反射面側から無機系接着剤の充填が困難になるという問題がある。
また、前記先行技術記載の発明では、狭部において、発光管との間の隙間を完全になくすということは困難であり、接着剤がリフレクタの反射面に付着すると、接着剤により反射膜が腐食されてしまうという問題がある。
本発明の目的は、リフレクタの首状部の挿入孔に接着剤を充填する作業が簡単となり、かつリフレクタの反射面に接着剤が付着することのない、光源装置及びプロジェクタを提供することにある。
【発明の開示】
本発明の光源装置は、電極間で放電発光が行われる発光部、及びこの発光部の両側に設けられる封止部を有する発光管と、この発光管が挿入される挿入孔が形成される首状部、及び、この首状部と一体形成され、前記発光部から放射された光束を一定方向に揃えて前方に射出する楕円曲面状の反射面を有する反射部を備えたリフレクタとを有する光源装置であって、前記発光管には前方側略半分を覆う副反射鏡が設けられ、前記挿入孔は、光束射出方向基端から先端に向かうに従って、次第に径が大きくなり、前記挿入孔の反射面側の開口径は、前記副反射鏡の外径よりも大きく、かつ、前記リフレクタの前方側焦点位置と副反射鏡の外周面とにより定められる前記リフレクタの有効反射領域の内径の内側であることを特徴とする。
ここで、リフレクタの有効反射領域の内径は、楕円リフレクタの第２焦点位置及び副反射鏡の外径寸法によって定められ、第２焦点位置から副反射鏡の外周とを結んだ線と楕円リフレクタの反射面との交線である円の径として規定される。
この発明によれば、挿入孔の反射面側の開口径が副反射鏡の外径よりも大きく、リフレクタの有効反射領域の径の内側に設定されていることにより、十分大きな開口径で接着剤を充填することが可能となるため、リフレクタの反射部側から接着剤の充填を容易に行うことができ、治具等を挿入して接着剤の充填を行うことも可能となる。
また、大きな開口径で視認性が向上するため、反射面側やリフレクタの裏面側から接着剤を充填する際、充填量を確認しながら接着剤の充填を行うことができ、リフレクタの反射部の反射面上に接着剤が漏れだして付着することを防止できる。
さらに、挿入孔の開口径が副反射鏡の外径よりも大きく、リフレクタの有効反射領域の径の内側に設定されているため、リフレクタの反射面が減少して、光源装置として射出される光束の光量が減少することもない。
本発明のプロジェクタは、光源装置と、この光源装置から射出された光束を画像情報に応じて変調して光学像を形成する光変調装置と、この光変調装置で形成された光学像を拡大投写する投写光学装置とを備えたプロジェクタであって、前記光源装置は、電極間で放電発光が行われる発光部、及びこの発光部の両側に設けられる封止部を有する発光管と、この発光管が挿入される挿入孔が形成される首状部、及び、この首状部と一体形成され、前記発光部から放射された光束を一定方向に揃えて前方に射出する楕円曲面状の反射面を有する反射部を備えたリフレクタとを有し、前記発光管には前方側略半分を覆う副反射鏡が設けられ、前記挿入孔は、光束射出方向基端から先端に向かうに従って、次第に径が大きくなり、前記挿入孔の反射面側の開口径は、前記副反射鏡の外径よりも大きく、かつ、前記リフレクタの有効反射領域の内径の内側であることを特徴とする。
この発明によれば、前述したようにリフレクタの反射部の反射面の損傷が防止され、射出光束の光量が損なわれることもないため、明るく高画質の投写画像を提供することのできるプロジェクタとすることができる。
【図面の簡単な説明】  図１は、本発明の第１実施形態に係るプロジェクタの光学系の構造を表す模式図である。
図２は、前記実施形態における光源装置の構造を表す概要斜視図である。
図３は、前記実施形態における光源装置の構造を表す断面図である。
図４は、前記実施形態における光源装置の光束射出の作用を説明するための模式図である。
図５は、前記実施形態における光源装置を構成する楕円リフレクタの構造を表す断面図である。
図６は、前記実施形態における光源装置を構成する楕円リフレクタの構造を表す断面図である。
【発明を実施するための最良の形態】    以下、本発明の実施の一形態を図面に基づいて説明する。
図１には、本発明の実施形態に係るプロジェクタ１の光学系を表す模式図が示され、このプロジェクタ１は、光源から射出された光束を、画像情報に応じて変調して光学像を形成し、スクリーン上に拡大投写する光学機器であり、光源装置としての光源ランプユニット１０、均一照明光学系２０、色分離光学系３０、リレー光学系３５、光学装置４０、及び投写光学系５０を備えて構成され、光学系２０、３０、３５を構成する光学素子は、所定の照明光軸Ａが設定されたライトガイド２内に位置決め調整されて収納されている。
光源ランプユニット１０は、光源ランプ１１から放射された光束を一定方向に揃えて前方へ射出し、光学装置４０を照明するものであり、詳しくは後述するが、光源ランプ１１、楕円リフレクタ１２、副反射鏡１３、及び平行化凹レンズ１４を備えている。
そして、光源ランプ１１から放射された光束は、楕円リフレクタ１２により装置前方側に射出方向を揃えて前方へ収束光として射出され、平行化凹レンズ１４によって平行化され、均一照明光学系２０に射出される。
均一照明光学系２０は、光源ランプユニット１０から射出された光束を複数の部分光束に分割し、照明領域の面内照度を均一化する光学系であり、第１レンズアレイ２１、第２レンズアレイ２２、ＰＢＳアレイ２３、及び重畳レンズ２４、及び反射ミラー２５を備えている。
第１レンズアレイ２１は、光源ランプ１１から射出された光束を複数の部分光束に分割する光束分割光学素子としての機能を有し、照明光軸Ａと直交する面内にマトリクス状に配列される複数の小レンズを備えて構成され、各小レンズの輪郭形状は、後述する光学装置４０を構成する液晶パネル４２Ｒ、４２Ｇ、４２Ｂの画像形成領域の形状とほぼ相似形をなすように設定されている。
第２レンズアレイ２２は、前述した第１レンズアレイ２１により分割された複数の部分光束を集光する光学素子であり、第１レンズアレイ２１と同様に照明光軸Ａに直交する面内にマトリクス状に配列される複数の小レンズを備えた構成であるが、集光を目的としているため、各小レンズの輪郭形状が液晶パネル４２Ｒ、４２Ｇ、４２Ｂの画像形成領域の形状と対応している必要はない。
ＰＢＳアレイ２３は、第１レンズアレイ２１により分割された各部分光束の偏光方向を一方向の直線偏光に揃える偏光変換素子である。
このＰＢＳアレイ２３は、図示を略したが、照明光軸Ａに対して傾斜配置される偏光分離膜及び反射ミラーを交互に配列した構成を具備する。偏光分離膜は、各部分光束に含まれるＰ偏光光束及びＳ偏光光束のうち、一方の偏光光束を透過し、他方の偏光光束を反射する。反射された他方の偏光光束は、反射ミラーによって曲折され、一方の偏光光束の射出方向、すなわち照明光軸Ａに沿った方向に射出される。射出された偏光光束のいずれかは、ＰＢＳアレイ２３の光束射出面に設けられる位相差板によって偏光変換され、すべての偏光光束の偏光方向が揃えられる。このようなＰＢＳアレイ２３を用いることにより、光源ランプ１１から射出される光束を、一方向の偏光光束に揃えることができるため、光学装置４０で利用する光源光の利用率を向上することができる。
重畳レンズ２４は、第１レンズアレイ２１、第２レンズアレイ２２、及びＰＢＳアレイ２３を経た複数の部分光束を集光して液晶パネル４２Ｒ、４２Ｇ、４２Ｂの画像形成領域上に重畳させる光学素子である。このコンデンサレンズ２４は、本例では光束透過領域の入射側端面が平面で射出側端面が双曲面状の非球面レンズであるが、球面レンズを用いることも可能である。
この重畳レンズ２４から射出された光束は、反射ミラー２５で曲折されて色分離光学系３０に射出される。
色分離光学系３０は、２枚のダイクロイックミラー３１、３２と、反射ミラー３３とを備え、ダイクロイックミラー３１、３２より均一照明光学系２０から射出された複数の部分光束を、赤（Ｒ）、緑（Ｇ）、青（Ｂ）の３色の色光に分離する機能を具備する。
ダイクロイックミラー３１、３２は、基板上に所定の波長領域の光束を反射し、他の波長の光束を透過する波長選択膜が形成された光学素子であり、光路前段に配置されるダイクロイックミラー３１は、赤色光を透過し、その他の色光を反射するミラーである。光路後段に配置されるダイクロイックミラー３２は、緑色光を反射し、青色光を透過するミラーである。
リレー光学系３５は、入射側レンズ３６と、リレーレンズ３８と、反射ミラー３７、３９とを備え、色分離光学系３０を構成するダイクロイックミラー３２を透過した青色光を光学装置４０まで導く機能を有している。尚、青色光の光路にこのようなリレー光学系３５が設けられているのは、青色光の光路長が他の色光の光路長よりも長いため、光の発散等による光の利用効率の低下を防止するためである。本例においては青色光の光路長が長いのでこのような構成とされているが赤色光の光路長を長くする構成も考えられる。
前述したダイクロイックミラー３１により分離された赤色光は、反射ミラー３３により曲折された後、フィールドレンズ４１を介して光学装置４０に供給される。また、ダイクロイックミラー３２により分離された緑色光は、そのままフィールドレンズ４１を介して光学装置４０に供給される。さらに、青色光は、リレー光学系３５を構成するレンズ３６、３８及び反射ミラー３７、３９により集光、曲折されてフィールドレンズ４１を介して光学装置４０に供給される。尚、光学装置４０の各色光の光路前段に設けられるフィールドレンズ４１は、第２レンズアレイ２２から射出された各部分光束を、照明光軸に対して並行な光束に変換するために設けられている。
光学装置４０は、入射した光束を画像情報に応じて変調してカラー画像を形成するものであり、照明対象となる光変調装置としての液晶パネル４２Ｒ、４２Ｇ、４２Ｂと、色合成光学系としてのクロスダイクロイックプリズム４３とを備えて構成される。尚、フィールドレンズ４１及び各液晶パネル４２Ｒ、４２Ｇ、４２Ｂの間には、入射側偏光板４４が介在配置され、図示を略したが、各液晶パネル４２Ｒ、４２Ｇ、４２Ｂ及びクロスダイクロイックプリズム４３の間には、射出側偏光板が介在配置され、入射側偏光板４４、液晶パネル４２Ｒ、４２Ｇ、４２Ｂ、及び射出側偏光板によって入射する各色光の光変調が行われる。
液晶パネル４２Ｒ、４２Ｇ、４２Ｂは、一対の透明なガラス基板に電気光学物質である液晶を密閉封入したものであり、例えば、ポリシリコンＴＦＴをスイッチング素子として、与えられた画像信号に従って、入射側偏光板４４から射出された偏光光束の偏光方向を変調する。この液晶パネル４２Ｒ、４２Ｇ、４２Ｂの変調を行う画像形成領域は、矩形状であり、その対角寸法は、例えば０．７インチである。
クロスダイクロイックプリズム４３は、射出側偏光板から射出された各色光毎に変調された光学像を合成してカラー画像を形成する光学素子である。このクロスダイクロイックプリズム４３は、４つの直角プリズムを貼り合わせた平面視略正方形状をなし、直角プリズム同士を貼り合わせた界面には、誘電体多層膜が形成されている。略Ｘ字状の一方の誘電体多層膜は、赤色光を反射するものであり、他方の誘電体多層膜は、青色光を反射するものであり、これらの誘電体多層膜によって赤色光及び青色光は曲折され、緑色光の進行方向と揃えられることにより、３つの色光が合成される。
そして、クロスダイクロイックプリズム４３から射出されたカラー画像は、投写光学系５０によって拡大投写され、図示を略したスクリーン上で大画面画像を形成する。
前述した光源装置としての光源ランプユニット１０は、ライトガイド２に対して着脱可能となっていて、光源ランプ１１が破裂したり、寿命により輝度が低下した場合に交換できるようになっている。
より詳細に説明すれば、この光源ランプユニット１０は、前述した光源ランプ１１、楕円リフレクタ１２、副反射鏡１３、及び平行化凹レンズ１４の他、図２及び図３に示すように、ランプハウジング１５及びカバー部材１６を備えて構成される。
発光管としての光源ランプ１１は、中央部が球状に膨出した石英ガラス管から構成され、中央部分が発光部１１１、この発光部１１１の両側に延びる部分が封止部１１２とされる。
発光部１１１の内部には、図３では図示を略したが、内部に所定距離離間配置される一対のタングステン製の電極と、水銀、希ガス、及び少量のハロゲンが封入されている。
封止部１１２の内部には、発光部１１１の電極と電気的に接続されるモリブデン製の金属箔が挿入され、ガラス材料等で封止されている。この金属箔には、さらに電極引出線としてのリード線１１３が接続され、このリード線１１３は、光源ランプ１１の外部まで延出している。
そして、リード線１１３に電圧を印加すると、電極間で放電が生じ、発光部１１１が発光する。尚、図３では図示を略したが、光源ランプ１１の前方側の封止部１１２にニクロム線等を巻き付けておき、プロジェクタ１の起動時このニクロム線に電流を流し、発光部１１１の予熱を行うようにしてもよく、このような予熱装置を設けておけば、発光部１１１内のハロゲンサイクルが早期に生じるため、光源ランプ１１を早く点灯させることができる。
楕円リフレクタ１２は、詳しくは後述するが、光源ランプ１１の封止部１１２が挿通される首状部１２１及びこの首状部１２１から拡がる楕円曲面状の反射部１２２を備えたガラス製の一体成形品である。
首状部１２１には、中央に挿入孔１２３が形成されており、この挿入孔１２３の中心に封止部１１２が配置される。
反射部１２２は、楕円曲面状のガラス面に金属薄膜を蒸着形成して構成され、この反射部１２２の反射面は、可視光を反射して赤外線を透過するコールドミラーとされる。
前記の光源ランプ１１は、この反射部１２２の内部に配置され、図４に示されるように、発光部１１１の内の電極間の発光中心が反射部１２２の楕円曲面の第１焦点位置Ｌ１となるように配置される。
そして、光源ランプ１１を点灯すると、発光部１１１から放射された光束は、反射部１２２の反射面で反射して、楕円曲面の第２焦点位置Ｌ２に収束する収束光となる。
また、楕円リフレクタ１２の光軸方向長さ寸法は、光源ランプ１１の長さ寸法よりも小さくなっていて、光源ランプ１１を楕円リフレクタ１２に装着すると、光源ランプ１１の前側の封止部１１２が楕円リフレクタ１２の光束射出開口から突出する。
副反射鏡１３は、リフレクタ１２の光束射出方向を前方としたときに、光源ランプ１１の発光部１１１の前側略半分を覆う反射部材であり、図示を略したが、その反射面は、発光部１１１の球面に倣う凹曲面状に形成され、反射面は楕円リフレクタ１２と同様にコールドミラーとされている。
この副反射鏡１３を発光部１１１に装着することにより、図４に示すように発光部１１１の前方側に放射される光束は、この副反射鏡１３によって楕円リフレクタ１２側に反射し、楕円リフレクタ１２の反射部１２２から射出される。
このように副反射鏡１３を用いることにより、発光部１１１の前方側に放射される光束が後方側に反射されるため、反射部１２２の楕円曲面が少なくても、発光部１１１から射出された光束をすべて一定方向に揃えて射出でき、楕円リフレクタ１２の光軸方向寸法を小さくすることができる。
ランプハウジング１５は、図３に示すように、断面Ｌ字状の合成樹脂製の一体成形品であり、水平部１５１及び垂直部１５２を備えている。
水平部１５１は、ライトガイド２の壁部と係合し、光源ランプユニット１０をライトガイド２内に隠蔽して光漏れが出ないようにする部分である。また、図示を略したが、この水平部１５１には、光源ランプ１１を外部電源と電気的に接続するための端子台が設けられており、この端子台には、光源ランプ１１のリード線１１３が接続される。
垂直部１５２は、楕円リフレクタ１２の光軸方向の位置決めを行う部分であり、本例では、この垂直部１５２に対して楕円リフレクタ１２の光束射出開口側先端部分が接着剤等で固定される。この垂直部１５２には、楕円リフレクタ１２の射出光束を透過させる開口部１５３が形成されている。
また、このような水平部１５１及び垂直部１５２には、突起１５４が形成されている。この突起１５４は、ライトガイド２内に形成された凹部と係合し、係合すると光源ランプ１１の発光中心がライトガイド２の照明光軸Ａ上に配置される。
カバー部材１６は、ランプハウジング１５の垂直部１５２の開口部１５３に装着される略円錘状の筒体からなる熱吸収部１６１と、この熱吸収部１６１の外側に突設される複数の放熱フィン１６２と、熱吸収部１６１の先端に形成されるレンズ装着部１６３とを備え、金属製の一体成形品として構成される。
熱吸収部１６１は、光源ランプ１１から放射された幅射熱や、楕円リフレクタ１２及びカバー部材１６内の密封空間で対流する空気の熱を吸収する部分であり、その内面は、黒アルマイト処理が施されている。この熱吸収部１６１の略円錐状の傾斜面は、楕円リフレクタ１２による収束光の傾きと並行となるようになっていて、楕円リフレクタ１２から射出された光束が熱吸収部１６１の内面になるべく当たらないようになっている。
複数の放熱フィン１６２は、光源ランプユニット１０の光軸に直交する方向に延びる板状体として構成され、各放熱フィン１６２の間は、冷却空気を充分に通すことのできる隙間が形成されている。
レンズ装着部１６３は、熱吸収部１６１の先端に突設される円筒状体から構成され、この円筒状部分には、楕円リフレクタ１２の収束光を平行化する平行化凹レンズ１４が装着される。尚、レンズ装着部１６３への平行化凹レンズ１４の固定は、図示を略したが、接着剤等で行われる。そして、レンズ装着部１６３に平行化凹レンズ１４を装着すると、光源ランプユニット１０内部の空間は完全に密封され、光源ランプ１１が破裂しても、破片が外部に飛散することがない。
前述した楕円リフレクタ１２の形状をより詳しく説明すると、この楕円リフレクタ１２は、図５に示すように、首状部１２１内に形成された挿入孔１２３に特徴を有し、この挿入孔１２３は、首状部１２１の光束射出方向基端側から先端側に向かって次第に径が大きくなる円錐台状の筒状に構成され、挿入孔１２３の先端側端面は、反射部１２２の反射面１２４に隣接している。
この挿入孔１２３の反射面１２４と隣接する開口の直径寸法をＤ１、副反射鏡１３の外径寸法をＤ２、反射面１２４のうち副反射鏡１３によって遮られない光束を射出する部分である反射面有効領域の内径寸法をＤ３とすると、Ｄ３＞Ｄ１≧Ｄ２または、Ｄ３＝Ｄ１＞Ｄ２が成立する。
この有効反射領域の内径寸法Ｄ３は、楕円リフレクタ１２の反射面１２４で反射され第２焦点位置Ｌ２へと集光される光束のうち副反射鏡１３によって遮られる光との境界の光束Ｌ３によって形成される円錐と、楕円リフレクタ１２の反射面１２４との交線である円の径によって規定される。この光束Ｌ３によって形成される円錐の内側の領域は、発光部１１１から放射された光束が副反射鏡１３によって遮られる部分とされ、反射面１２４のこの内側の領域に到達した光束は、反射面１２４によって反射されても第２焦点位置Ｌ２に到達しない部分である。従って、楕円リフレクタ１２の反射面１２４は、この有効反射領域の内径寸法Ｄ３の円の内側の領域まで形成する必要はなく、逆に、挿入孔１２３の反射面１２４側の開口径（直径）は、有効反射領域の内径寸法Ｄ３まで拡張することが可能である。
一方、挿入孔１２３の基端部分には、挿入孔１２３の内面から最狭部１２５がリング状に突出形成されている。
この最狭部１２５は、首状部１２１と一体形成され、光源ランプ１１の封止部１１２を挿入するのが容易な必要最小限の隙間を有する部分である。
このような最狭部１２５は、図６（Ａ）に示すように、楕円リフレクタ１２の成形に際して、挿入孔１２３の基端側端面を底部１２５Ａで塞いだ状態で成形を行った後、この底部１２５Ａに切削・研磨加工により孔を開けて最狭部１２５を形成する。
このような楕円リフレクタ１２に光源ランプ１１を固定する場合、次の手順で行う。
まず、反射面１２４を上に向けて楕円リフレクタ１２を作業台等の上に設置し、光源ランプ１１の封止部１１２を挿入孔１２３に挿入する。この際、予め副反射鏡１３を発光部１１１に取り付けた状態でリード線１１３を略１８０°折り曲げてリード線１１３も挿入孔１２３に挿入して挿入孔１２３の基端部から外側に出しておく。
次に、光源ランプ１１の発光部１１１の発光中心が反射面１２４の第１焦点位置Ｌ１（図５参照）に来るように位置調整する。光源ランプ１１の位置調整に際しては、発光部１１１の電極をＣＣＤカメラ等で撮像し、電極の中心を求め、この中心が設計上の楕円リフレクタ１２の第１焦点と重なるように位置調整を行う。
発光部１１１の位置調整が終了したら、図６（Ｂ）に示すように、反射面１２４側から挿入孔１２３内に無機系接着剤ＡＤを注入する。この際、上戸等の先細り状の治具を利用して無機系接着剤ＡＤを注入し、反射面１２４に無機系接着剤が付着しないようにする。
無機系接着剤ＡＤの充填が終了したら、治具等で楕円リフレクタ１２及び光源ランプ１１を保持して、その状態を維持して無機系接着剤ＡＤを硬化させる。
前述のような本実施形態によれば、次のような効果がある。
（１）挿入孔１２３に無機系接着剤ＡＤを充填する場合、楕円リフレクタ１２の光束射出側の挿入孔１２３の開口が大きくなるので、楕円リフレクタ１２の反射面１２４側から無機系接着剤ＡＤを注入することが容易となり、挿入孔１２３及び封止部１１２の間に無機系接着剤ＡＤを充填することが可能となる。従って、挿入孔１２３及び封止部１１２の間に注入される無機系接着剤ＡＤの充填状況を確認しながら作業を行えるので、反射面１２４にあふれ出さないうちに、作業を終了して反射面１２４を無機系接着剤で汚す可能性が少なくなる。
（２）反射面１２４側から無機系接着剤ＡＤを注入すると、基端側の最狭部１２５により無機系接着剤ＡＤの流れ出しを抑えることができるため、注入作業が一層容易になる。
（３）光源ランプ１１に副反射鏡１３が設けられており、楕円リフレクタ１２の反射面１２４で反射した光束がこの副反射鏡１３で遮られる径寸法Ｃの範囲内に挿入孔１２３の開口部が形成しているため、副反射鏡１３を用いない場合の反射面１２４の反射可能な径寸法Ｄ１の範囲よりも大きくなる。従って、挿入孔１２３の先端側端面開口部の大きさを通常よりも大きくできるため、反射面１２４側から無機系接着剤ＡＤを注入する作業を一層容易に行うことができる。
（４）反射面１２４側の挿入孔１２３の開口径が十分大きく確保されるため、接着剤ＡＤの充填に際して充填量を確認しながら接着剤ＡＤの充填を行うことができ、リフレクタ１２の反射部１２２の反射面１２４上に接着剤ＡＤが漏れだして付着することを防止できる。
（５）挿入孔１２３の開口径が副反射鏡１３の外径寸法Ｄ２よりも大きく、リフレクタ１２の有効反射領域の径Ｄ３の内側に設定されているため、リフレクタ１２の反射面１２４が減少して、光源ランプユニット１０として射出される光束の光量が減少することもない。
（６）リフレクタ１２の反射部１２２の反射面１２４が、接着剤ＡＤの付着に伴って損傷することもなく、射出光束の光量が損なわれることもないため、明るく高画質の投写画像を提供できるプロジェクタとすることができる。
尚、本発明は、前述の各実施形態に限定されるものではなく、以下に示すような変形をも含むものである。
前記実施形態では、光源ランプユニット１０を液晶パネル４２Ｒ、４２Ｇ、４２Ｂを有するプロジェクタ１に使用していたが、本発明はこれに限られず、例えば、マイクロミラーを用いたデバイスを備えたプロジェクタに本発明を採用してもよく、さらには、プロジェクタ以外の光学機器、例えば、スポットライト等の照明機器に本発明を採用してもよい。
その他、本発明の実施の際の具体的構造及び形状等は本発明の目的を達成できる範囲で他の構造等としてもよい。
【産業上の利用可能性】  本発明に係る光源装置は、前述したプロジェクタ等の画像表示装置の他、指向性の高い光束を射出する光学機器に利用することが可能であり、例えば、スポットライトその他の照明機器にも利用することができる。
【図１】
2004085915.tif 000003
【図２】
2004085915.tif 000004
【図３】
2004085915.tif 000005
【図４】
2004085915.tif 000006
【図５】
2004085915.tif 000007
2004085915.tif 000008
【国際調査報告】
2004085915.tif 000009
2004085915.tif 000010
2004085915.tif 000011
2004085915.tif 000012